(57)【要約】【課題】共通の基板ケースを大きさの異なる複数種類の基板に汎用できる遊技機を提供する。【解決手段】基板１６，１７と、この基板１６，１７が収納された基板ケース１８とを備え、基板ケース１８に、基板１６，１７が嵌合する嵌合部２６と、嵌合部２６の周縁側で基板１６，１７を厚さ方向に挟持する挟持部２７とを設けた遊技機において、嵌合部２６の一部に基板１６，１７を嵌合すると共に、嵌合部２６の基板１６，１７が嵌合されていない部分に、基板１６，１７に並べてスペーサー２５を嵌合し、基板１６，１７及びスペーサー２５を挟持部２７により挟持したものである。【選択図】  図６
2004305544.tif 000002
【特許請求の範囲】
【請求項１】
基板（１６）（１７）と、該基板（１６）（１７）が収納された基板ケース（１８）とを備え、該基板ケース（１８）に、前記基板（１６）（１７）が嵌合する嵌合部（２６）と、該嵌合部（２６）の周縁側で前記基板（１６）（１７）を厚さ方向に挟持する挟持部（２７）とを設けた遊技機において、前記嵌合部（２６）の一部に前記基板（１６）（１７）を嵌合すると共に、該嵌合部（２６）の前記基板（１６）（１７）が嵌合されていない部分に、該基板（１６）（１７）に並べてスペーサー（２５）を嵌合し、該基板（１６）（１７）及びスペーサー（２５）を前記挟持部（２７）により挟持したことを特徴とする遊技機。
【請求項２】
前記スペーサー（２５）は、前記基板ケース（１８）のコネクタ開口部（３５）を塞ぐように設けられていることを特徴とする請求項１に記載の遊技機。
【請求項３】
前記基板ケース（１８）は、前記基板（１６）（１７）の一側に配置されたカバー体（２８）と、他側に配置されたベース体（２９）とを備え、該カバー体（２８）及びベース体（２９）の一方に、内側に前記嵌合部（２６）が形成される外壁部（３２）を設け、前記挟持部（２７）は、前記外壁部（３２）の内側に設けられ且つ前記基板（１６）（１７）及びスペーサー（２５）をその縁部側で受ける受け部（３０）と、前記カバー体（２８）及びベース体（２９）の他方に設けられ且つ前記受け部（３０）と反対側から前記基板（１６）（１７）及びスペーサー（２５）を押さえる押さえ部（３１）とを備えたことを特徴とする請求項１又は２に記載の遊技機。
【請求項４】
前記基板（１６）（１７）の少なくとも対向する２辺側を前記挟持部（２７）により挟持したことを特徴とする請求項１〜３の何れかに記載の遊技機。
【請求項５】
前記スペーサー（２５）は、前記基板（１６）（１７）と略同一厚さの板状に構成されていることを特徴とする請求項１〜４の何れかに記載の遊技機。
【請求項６】
前記基板ケース（１８）に、前記基板（１６）（１７）を位置決めする位置決め部（５０）を設けたことを特徴とする請求項１〜５の何れかに記載の遊技機。
【請求項７】
基板（１６）（１７）と、該基板（１６）（１７）が収納された基板ケース（１８）とを備え、該基板ケース（１８）に、前記基板（１６）（１７）が嵌合する嵌合部（２６）と、該嵌合部（２６）の周縁側で前記基板（１６）（１７）を厚さ方向に挟持する挟持部（２７）とを設けた遊技機において、前記嵌合部（２６）の一部に前記基板（１６）（１７）を嵌合すると共に、該基板（１６）（１７）に対応して前記嵌合部（２６）を仕切る仕切り部材（７０）を、前記基板（１６）（１７）の大きさ又は嵌合位置に応じて位置調整可能に設けたことを特徴とする遊技機。
【発明の詳細な説明】
【０００１】
【発明の属する技術分野】
本発明は、パチンコ機、アレンジボール機、雀球遊技機、回胴式遊技機等の各種遊技機、取り分け基板の基板ケースへの収納構造に関するものである。
【０００２】
【従来の技術】
例えばパチンコ機等の弾球遊技機は、主制御基板、払い出し制御基板、電源基板、音声制御基板、ランプ制御基板等の複数種類の基板を備え、これら各基板が夫々基板ケースに収納されると共に、その基板ケースが遊技機の裏側等に適宜装着されている。
【０００３】
基板ケースには、例えば基板が嵌合する嵌合部と、この嵌合部の周縁側で基板を厚さ方向に挟持する挟持部とを備え、嵌合部及び挟持部により基板を基板ケース内に保持するように構成されたものがあり、このような基板ケースでは、その嵌合部及び挟持部に見合った大きさの基板を簡単に収納できる利点がある。（例えば特許文献１）
【０００４】
【特許文献１】
特開平１１−２９０５２８号公報
【０００５】
【発明が解決しようとする課題】
しかし、上記の基板ケースは、決まった大きさの基板しか収納することができないため、大きさの異なる各種基板に応じて夫々専用に設計する必要があり、製作コストが増大する原因となっていた。また、新機種の開発等により基板の大きさが変更された場合にも、その新たな基板の大きさに合わせて基板ケースを設計し直さなければならなかった。
【０００６】
そこで、複数種類の基板を、又は新機種の基板と旧機種の基板とを一定の大きさに設計して、共通の基板ケースを異なる複数の基板に汎用すれば、基板ケースの設計に必要なコストを削減することが可能であるが、各種基板は機能等に応じて必要な大きさが夫々異なるため、その大きさを一定にするには新たなコストが発生することとなる。
【０００７】
本発明は、このような従来の問題点に鑑み、共通の基板ケースを大きさの異なる複数種類の基板に汎用できる遊技機を提供することを目的とする。
【０００８】
【課題を解決するための手段】
本発明は、基板１６，１７と、該基板１６，１７が収納された基板ケース１８とを備え、該基板ケース１８に、前記基板１６，１７が嵌合する嵌合部２６と、該嵌合部２６の周縁側で前記基板１６，１７を厚さ方向に挟持する挟持部２７とを設けた遊技機において、前記嵌合部２６の一部に前記基板１６，１７を嵌合すると共に、該嵌合部２６の前記基板１６，１７が嵌合されていない部分に、該基板１６，１７に並べてスペーサー２５を嵌合し、該基板１６，１７及びスペーサー２５を前記挟持部２７により挟持したものである。
【０００９】
また本発明は、基板１６，１７と、該基板１６，１７が収納された基板ケース１８とを備え、該基板ケース１８に、前記基板１６，１７が嵌合する嵌合部２６と、該嵌合部２６の周縁側で前記基板１６，１７を厚さ方向に挟持する挟持部２７とを設けた遊技機において、前記嵌合部２６の一部に前記基板１６，１７を嵌合すると共に、該基板１６，１７に対応して前記嵌合部２６を仕切る仕切り部材７０を、前記基板１６，１７の大きさ又は嵌合位置に応じて位置調整可能に設けたものである。
【００１０】
【発明の実施の形態】
以下、本発明の実施形態を図面に基づいて詳述する。図１〜図８は、本発明をパチンコ機に適用した第１の実施形態を例示している。図１及び図２において、１は遊技機本体で、矩形状の外枠２と、この外枠２の前側に開閉自在に枢着された前枠３とを備えている。前枠３には遊技盤４が裏側から着脱自在に装着されると共に、遊技盤４の下側に、発射用の遊技球を貯留する上皿５が装着されている。また前枠３の下部には、上皿５からの余剰球を貯留する下皿ユニット６と、発射手段７の発射ハンドル８とが設けられている。
【００１１】
前枠３の裏側には、遊技盤４を裏側から押さえる裏機構板９が開閉自在に装着されている。裏機構板９には、遊技盤４の裏側の裏カバー１０が嵌合する開口部１１が形成され、その上側に遊技球タンク１２及びタンクレール１３が、左右方向の一側に払い出し手段１４が、下側に通路ユニット１５が夫々設けられている。遊技球タンク１２は、遊技球補給系から補給された遊技球を貯留して、タンクレール１３を経て払い出し手段１４側へと供給するようになっている。払い出し手段１４は、例えばモーター駆動による回転式であって、通路ユニット１５等を経て上皿５側へと遊技球を払い出すようになっている。
【００１２】
裏カバー１０は、遊技盤４に装着された特別図柄表示手段等の複数の遊技部品を裏側から覆うためのもので、遊技盤４に着脱自在に固定されている。裏カバー１０には、音声制御基板１６及びランプ制御基板１７を収容した音声・ランプ制御基板ケース１８と、主制御基板１９を収容した主制御基板ケース２０とが着脱自在に装着されている。
【００１３】
なお、音声・ランプ制御基板ケース１８は裏カバー１０の上部側に配置され、この音声・ランプ制御基板ケース１８の下側に主制御基板ケース２０が配置されているが、これらの配置は適宜変更しても良い。
【００１４】
通路ユニット１５の裏側には、電源基板２１及び払い出し制御基板２２とを例えば左右に収容した電源・払い出し制御基板ケース２３が、ケース取り付け板２４を介して着脱自在に装着されている。
【００１５】
なお、実施形態では、本発明を音声・ランプ制御基板ケース１８に適用した場合について例示するが、主制御基板ケース２０、電源・払い出し制御基板ケース２３等の他の基板ケースに適用することも可能である。
【００１６】
音声・ランプ制御基板ケース１８は、図３〜図７に示すように、音声制御基板１６、ランプ制御基板１７及びスペーサー２５が嵌合する嵌合部２６と、その嵌合部２６の周縁側で各基板１６，１７及びスペーサー２５を厚さ方向に挟持する挟持部２７とを備えている。（以下、音声・ランプ制御基板ケース１８を単に基板ケース１８、音声制御基板１６及びランプ制御基板１７を単に基板１６，１７ということがある。）
基板ケース１８は、例えば横長矩形箱状の合成樹脂製等の成型品で、各基板１６，１７の一側（例えばＣＰＵ等の電子部品１６ａ，１７ａが装着された側）に配置されたカバー体２８と、他側に配置されたベース体２９とを備えており、実施形態ではそのカバー体２８側に嵌合部２６が形成されると共に、カバー体２８側の受け部３０とベース体２９側の押さえ部３１とにより挟持部２７が構成されている。
【００１７】
カバー体２８はベース体２９に対して後側に配置され、図３及び図４に示すように、外周に設けられた略矩形枠状の外壁部３２と、外壁部３２の後側に設けられ且つ前側が開放する略矩形箱状のカバー部３３とを一体に備え、外壁部３２の内側が嵌合部２６となっている。カバー部３３の例えば上側及び左右方向の一側（例えば図３の右側）は外壁部３２に沿って設けられると共に、カバー部３３の下側及び左右方向の他側（例えば図３の左側）は外壁部３２から内側に離間して設けられており、その間が基板１６，１７のコネクタ３４を外側に導出するためのコネクタ開口部３５となっている。
【００１８】
以下、説明の上下左右の方向を用いる場合には、原則として図３に示す方向に基づくため、他の図において上下又は左右が逆転する場合がある。なお、上下左右の方向は単に説明の便宜上用いているだけであり、その記載により基板ケース１８等の構成、装着方向等を限定するものではない。
【００１９】
コネクタ開口部３５は例えばＬ字状で、嵌合部２６の内側に、その下縁の略全長及び左右方向の他側の下部側に沿って形成されている。なお、コネクタ開口部３５は、嵌合部２６の少なくとも左右方向（長手方向）の略全長に沿って縁部側に設けられていることが望ましい。
【００２０】
また、下側の外壁部３２の後端とカバー部３３の前端との間には、外壁部３２を補強するための補強リブ３６がコネクタ開口部３５を上下方向（幅方向）に跨ぐように、１又は複数、例えば左右方向に３個設けられている。
【００２１】
カバー部３３は、コネクタ３４及びその近傍を除く基板１６，１７の要部を例えば電子部品１６ａ，１７ａ側から覆うためのもので、図６及び図７にも示すように、略矩形板状の底板部３７と、この底板部３７の各縁部から起立する上側板部３８ａ、左側板部３８ｂ、下側板部３８ｃ及び右側板部３８ｄとを一体に備えている。
【００２２】
各側板部３８ａ〜３８ｄは前側が拡がるように若干テーパー状に構成されている。また底板部３７には、その一部又は全体、例えば上部側に複数の小孔３９が形成されており、基板１６，１７上の電子部品１６ａ，１７ａからの発熱を放出するようになっている。
【００２３】
受け部３０は、例えば上側及び左右方向の一側では、外壁部３２と側板部３８ａ，３８ｄとの境目の段部４０により連続的に構成されている。即ち、カバー部３３の上側板部３８ａ及び右側板部３８ｄの前端は、外壁部３２の後端よりも僅かに（例えば外壁部３２の板厚程度だけ）内側に設けられており、その境目に基板１６，１７及びスペーサー２５の縁部をその一側から受ける段部４０が形成されている。
【００２４】
また受け部３０は、下側及び左右方向の他側では、外壁部３２の左右の両隅部に設けられた受け板４１，４２と、下側の外壁部３２の後端から内側にリブ状に突出する１又は複数（例えば３個）の突出部４３とにより間欠的に構成されている。
【００２５】
また、左右方向の他側の外壁部３２には、外側に張り出す張り出し部４４，４５が上下に形成され、下側の張り出し部４５に対応して前述した受け板４２が設けられると共に、この受け板４２に基板１６の縁部が略当接又は近接する突出リブ４６が設けられている。
【００２６】
即ち、嵌合部２６は、上側、下側及び左右方向の一側の外壁部３２と、左右方向の他側の突出リブ４６とに囲まれる横長の略矩形状の領域に形成されており、各基板１６，１７及びスペーサー２５の側縁部が、それら外壁部３２及び突出リブ４６に内側から略当接又は近接するように嵌合されている。そして、この嵌合部２６の周縁に沿って、その略全体に連続的又は間欠的に受け部３０が設けられている。なお、受け部３０は、嵌合部２６の周縁側の略全体にわたって連続的に設けても良いし、略全体にわたって間欠的に設けても良い。
【００２７】
嵌合部２６には、図６（Ａ）及び図６（Ｂ）にも示すように、音声制御基板１６、ランプ制御基板１７及びスペーサー２５が、互いに側縁部が略当接するように例えば左右方向に並んで略全体に嵌合されている。なお、実施形態では、音声制御基板１６とランプ制御基板１７とをその平面方向に略当接状に並べて左右方向の他側に配置すると共に、左右方向の一側に、各基板１６，１７とその平面方向に略当接状に並べてスペーサー２５を配置しているが、各基板１６，１７及びスペーサー２５が嵌合部２６の略全体に嵌合されていれば、それらの配置は適宜変更可能である。
【００２８】
各基板１６，１７は、その上下方向の寸法が嵌合部２６の上下方向（幅方向）の寸法に略対応されており、少なくとも対向する２辺側（例えば上下の２辺）が受け部３０により受けられている。なお、左右方向の他側の基板（実施形態では音声制御基板）１６は、左右方向の１辺側でも受け部３０により受けられている。
【００２９】
スペーサー２５は、各基板１６，１７と略同一厚さを有する合成樹脂製等の板状で、嵌合部２６の基板１６，１７が嵌合されていない部分の略全体に嵌合されている。なお、スペーサー２５は、上下の対向する２辺側及び左右方向の一側辺側が受け部３０により受けられると共に、左右方向の他側辺側が基板（実施形態ではランプ制御基板）１７の側縁部に略当接されている。
【００３０】
スペーサー２５は、各基板１６，１７の大きさ、数、配置等に応じて、その大きさ、形状等が決定されるもので、基板１６，１７の大きさ、数、配置等が変化すれば、それに合わせて変化されるものである。
【００３１】
なお、実施形態では、嵌合部２６の基板１６，１７が嵌合されていない部分の略全体にスペーサー２５を嵌合しているが、各基板１６，１７が安定的に保持される構造であれば、必ずしも略全体に設けなくても良い。また各基板１６，１７及びスペーサー２５は、その何れもが少なくとも対向する２辺側（上下でも左右でも良い）が受け部３０により受けられていることが望ましい。
【００３２】
基板１６，１７及びスペーサー２５は、図３にも示すように、嵌合部２６の略全体に嵌合されているため、コネクタ開口部３５の全体を塞いでいる。また図７に示すように、コネクタ開口部３５の内側に対応するカバー部３３の側板部３８ａ〜３８ｄ（例えば、左側板部３８ｂの下部側及び下側板部３８ｃ）の前端が基板１６，１７及びスペーサー２５に略当接されており、電子部品１６ａ，１７ａ等が配置された基板１６，１７の要部がコネクタ開口部３５の外側から完全に遮断されている。
【００３３】
ベース体２９は、図５〜図８に示すように、カバー体２８の前側に着脱自在に取り付けられるもので、略矩形板状の底板部４７と、この底板部４７の各縁部から後側に起立する側板部４８とを備えている。
【００３４】
側板部４８は、カバー体２８の外壁部３２の内側に丁度嵌合する枠状で、嵌合部２６の左右方向の他側を除いて、この側板部４８により押さえ部３１が構成されている。また、ベース体２９には、カバー体２８の突出リブ４６の内側に対応して、底板部４７から側板部４８と略同量だけ突出する突出板部４９が上下方向の略全体に跨って設けられており、嵌合部２６の左右方向の他側ではこの突出板部４９により押さえ部３１が構成されている。
【００３５】
従って、押さえ部３１は、カバー体２８の側板部４８と突出板部４９とにより、嵌合部２６の周縁側の略全体に連続的に設けられている。なお、押さえ部３１は、嵌合部２６の周縁側の略全体に間欠的に設けても良い。
【００３６】
また、基板ケース１８には、基板１６，１７を位置決めするための位置決め部５０、カバー体２８にベース体２９を取り付けて保持するための保持部５１、基板ケース１８を裏カバー１０側に取り付けるための取り付け部５２等が設けられている。
【００３７】
位置決め部５０は、図３、図４、図６及び図８に示すように、例えばカバー体２８の上部側（コネクタ開口部３５と反対側）の一角（例えば左右方向の他側の隅部）に設けられ、台座部５３から突設する突起部５４を備えている。なお、実施形態では、嵌合部２６に嵌合される２枚の基板１６，１７のうち、端部に配置される基板（実施形態では音声制御基板）１６を位置決めするようになっている。
【００３８】
台座部５３は、カバー部３３の後部側の角を斜めに切り欠くように形成されたもので、カバー部３３の底板部３７及び側板部３８ａ〜３８ｄ等と略同じ板厚に構成された台側板部５５及び基板部５６を備え、この基板部５６から突起部５４が基板１６，１７側に一体に突設されている。
【００３９】
台側板部５５は略矩形状で、カバー部３３の上側板部３８ａと左側板部３８ｂとを斜めに連結すると共に後端が底板部３７に連結されている。基板部５６は略三角形状で、台側板部５５の前端、カバー部３３の上側板部３８ａ及び左側板部３８ｂに連結され、基板１６，１７に略平行に近接されている。
【００４０】
突起部５４は、基部側の大径部５７と先端側の小径部５８とを備え、この小径部５８が基板１６，１７の隅部に開口された穴部５９に嵌合されると共に、受け部３０と略同一水準に設定された大径部５７の上端に、基板１６，１７の一側面が略当接されている。
【００４１】
保持部５１は、図３〜図５及び図７に示すように、基板ケース１８の一側、例えば上側に設けられたロック部６０と、ロック部６０の反対側、例えば下側に設けられた規制部６１とを備えている。なお、ロック部６０及び規制部６１は、その上下の配置を入れ替えても良いし、左右方向の一側及び他側に配置しても良い。
【００４２】
規制部６１は、カバー体２８とベース体２９との前後の外れを規制するもので、カバー体２８の外壁部３２の前端に嵌合部２６の内側に突出するように設けられた規制凸部６５と、ベース体２９の底板部４７に前側から凹入状に形成され且つカバー体２８にベース体２９を取り付けたときに規制凸部６５が前側から嵌合する規制凹部６６とを備え、この規制凸部６５と規制凹部６６とが前後方向に係合するようになっている。なお、規制凸部６５及び規制凹部６６は左右方向に１又は複数、例えばカバー体２８の受け部３０を構成する受け板４１，４２及び突出部４３の間に対応して３個設けられている。
【００４３】
ロック部６０は、カバー体２８側に一体に設けられた保持突起６２と、ベース体２９側に一体に設けられた弾性板部６３とを備えている。保持突起６２は、カバー部３３の上側板部３８ａの外側に、左右方向に１又は複数（例えば３個）設けられている。なお、各保持突起６２は、例えば左右一対のリブ状に構成されている。
【００４４】
弾性板部６３は例えば上下方向に弾性変形可能な板状で、カバー部３３の上側板部３８ａの外側に配置されるように、保持突起６２に対応して左右方向に１又は複数（例えば３個）設けられている。弾性板部６３は、ベース体２９から後側に突出するように設けられると共に、その先端に保持穴部６４が形成されており、カバー体２８とベース体２９とをその下部側で規制部６１により前後方向に規制した状態で上部側を嵌め合わせたときに、保持穴部６４が保持突起６２に外側から係脱自在に係合するようになっている。
【００４５】
取り付け部５２は、図３〜図６に示すように、基板ケース１８の例えば左右方向の一側に設けられた挿入部６７と、この挿入部６７の反対側、例えば左右方向の他側に設けられた係合部６８とを備えている。なお、基板ケース１８は裏カバー１０に直接取り付けても良いし、適宜取り付け板等を介して取り付けても良い。
【００４６】
挿入部６７は上下方向に１又は複数、例えば２個あり、例えばベース体２９の左右方向の一側縁から一体に前側に突出されると共に、その先端が左右方向の外側（一側）に湾曲状に曲げられたもので、裏カバー１０側の挿入孔（図示略）に挿入されるようになっている。
【００４７】
係合部６８は上下方向に１又は複数、例えばカバー体２８の上下の張り出し部４４，４５の間に１個設けられている。係合部６８は、例えば左右方向に弾性変形可能な係合爪６９を備え、この係合爪６９が裏カバー１０側の係合孔（図示略）に係脱自在に係合するようになっている。
【００４８】
次に、本実施形態の作用について説明する。音声・ランプ制御基板ケース１８に音声制御基板１６、ランプ制御基板１７及びスペーサー２５を収納する際には、先ず、音声制御基板１６を嵌合部２６の左右方向の他側（左側）に嵌合する。嵌合部２６の周縁部の略全体に受け部３０を設けると共に、音声制御基板１６の上下方向の寸法を嵌合部２６に対応させているので、音声制御基板１６の対向する上下の２辺を含む３辺側を受け部３０により安定的に受けることができる。
【００４９】
また、音声制御基板１６の嵌合に際しては、その隅部に形成された穴部５９に、位置決め部５０の突起部５４を嵌合させる。これにより音声制御基板１６を位置決めすることができるうえに、他の基板、例えばランプ制御基板１７と配置を間違えて嵌合することもない。
【００５０】
次に、ランプ制御基板１７を、音声制御基板１６に略当接するように左右方向に並べて嵌合部２６に嵌合する。嵌合部２６の周縁側の略全体に受け部３０を設けると共に、ランプ制御基板１７の上下方向の寸法を嵌合部２６に対応させているので、ランプ制御基板１７の対向する上下の２辺を受け部３０により安定的に受けることができる。
【００５１】
なお、音声制御基板１６及びランプ制御基板１７を配置する際には、そのコネクタ３４部をコネクタ開口部３５に嵌合することにより、コネクタ３４を基板ケース１８の外側に露出できる。また、嵌合部２６の下縁側の略全体及び左右方向の一側の下部側に連続状に大きい範囲でコネクタ開口部３５を形成しているので、大きさ、コネクタ３４の配置等の異なる各種の基板１６，１７にも対応できるし、基板１６，１７の配置を左右方向に変更することも可能である。
【００５２】
両基板１６，１７を嵌合すれば、嵌合部２６の基板１６，１７が嵌合されていない部分の略全体に対応して、基板１６，１７に並べて左右方向の一側にスペーサー２５を嵌合する。なお、嵌合部２６の周縁部の略全体に受け部３０を設けると共に、スペーサー２５の上下方向の寸法を嵌合部２６に対応させているので、スペーサー２５の対向する２辺側を含む３辺側を受け部３０により安定的に受けることができる。
【００５３】
スペーサー２５は、嵌合部２６の大きさ、各基板１６，１７の大きさ、各基板１６，１７の配置等に応じて、その大きさ、形状等が決定されるものであり、それらに応じて予め所定の形状に成型しておけばよい。
【００５４】
更に、嵌合部２６の全体に基板１６，１７及びスペーサー２５を嵌合すると共に、コネクタ開口部３５の内側でその全長に亘って、カバー部３３の側縁部３８ａ〜３８ｄ（例えば左側板部３８ｂ及び下側板部３８ｃ）の前端を基板１６，１７及びスペーサー２５に当接させているので、基板１６，１７及びスペーサー２５によりコネクタ開口部３５を完全に塞ぐことができて、基板１６，１７への不正等を防止することができる。
【００５５】
カバー体２８の嵌合部２６に基板１６，１７及びスペーサー２５を嵌合すれば、ベース体２９をカバー体２８に取り付けて保持部５１により保持する。即ち、カバー体２８の外壁部３２の内側にベース体２９の側板部４８を嵌合する際には、先ず、規制部６１側（下側）を嵌合して、カバー体２８側の規制凸部６５とベース体２９側の規制凹部６６とを係合してから、ロック部６０側（上側）を嵌合する。すると、ベース体２９側の弾性板部６３の保持穴部６４がカバー体２８側の保持突起６２に係合するので、カバー体２８とベース体２９との結合を保持することができる。
【００５６】
また、ベース体２９の側板部４８及び突出板部４９により、基板１６，１７及びスペーサー２５を受け部３０と反対側から押さえる押さえ部３１が構成されており、ベース体２９をカバー体２８に取り付けることにより基板１６，１７及びスペーサー２５を受け部３０との間で挟持することができる。受け部３０と同様に押さえ部３１を嵌合部２６の周縁側の略全体に設けているので、嵌合部２６の周縁側の略全体に挟持部２７が形成され、基板１６，１７の大きさ、配置等の如何にかかわらず、基板１６，１７及びスペーサー２５を確実に挟持することができる。
【００５７】
基板ケース１８を取り付け部５２により裏カバー１０に装着する際には、先ず左右方向の一側の挿入部６７を裏カバー１０側の挿入孔に挿入し、その挿入部６７を支点として基板ケース１８を回転させて係合部６８の係合爪６９を裏カバー１０側の係合孔に係合させれば良く、簡単に基板ケース１８を裏カバー１０側に装着することができる。
【００５８】
本実施形態では、基板１６，１７と、基板１６，１７が収納された基板ケース１８とを備え、基板ケース１８に、基板１６，１７が嵌合する嵌合部２６と、嵌合部２６の周縁側で基板１６，１７を厚さ方向に挟持する挟持部２７とを設けた遊技機において、嵌合部２６の一部に基板１６，１７を嵌合すると共に、嵌合部２６の基板１６，１７が嵌合されていない部分に、基板１６，１７に並べてスペーサー２５を嵌合し、基板１６，１７及びスペーサー２５を挟持部２７により挟持しているので、共通の基板ケース１８を大きさの異なる複数種類の基板１６，１７に汎用でき、しかも、基板ケース１８内での基板１６，１７の位置変更も簡単に行なうことができる。
【００５９】
即ち、収容する基板１６，１７の大きさ、配置が異なっても、その基板１６，１７に応じてスペーサー２５の大きさ、形状等を変更するだけで、基板１６，１７を嵌合部２６内に安定的に保持することができる。また、１の基板ケース１８に複数の基板１６，１７を収容する場合にも、基板１６，１７の大きさ又は形状を変更する場合と略同様に考えることができるので、スペーサー２５の大きさ等を変更するだけで良く、基板ケース１８の設計を変更する必要がない。
【００６０】
スペーサー２５は、基板ケース１８のコネクタ開口部３５を塞ぐように設けられているので、基板１６，１７の大きさ、配置、数等に多様に対応できるように嵌合部２６の長手方向の略全長に沿ってコネクタ開口部３５を形成した場合にも、基板１６，１７への不正等を確実に防止することができる。
【００６１】
基板ケース１８は、基板１６，１７の一側に配置されたカバー体２８と、他側に配置されたベース体２９とを備え、カバー体２８に、内側に嵌合部２６が形成される外壁部３２を設け、外壁部３２の内側でカバー体２８に設けられ且つ基板１６，１７及びスペーサー２５をその縁部側で受ける受け部３０と、ベース体２９に設けられ且つ受け部３０と反対側から基板１６，１７及びスペーサー２５を押さえる押さえ部３１とにより挟持部２７を構成しているので、基板１６，１７及びスペーサー２５を基板ケース１８に簡単に収納することができる。
【００６２】
各基板１６，１７及びスペーサー２５を夫々少なくとも対向する２辺側で挟持部２７により挟持しているので、基板１６，１７及びスペーサー２５をその周縁部で挟持する構成であるにもかかわらず、安定的に保持することができる。
【００６３】
基板ケース１８に基板１６，１７を位置決めする位置決め部５０を設けているので、基板ケース１８内での基板１６，１７の位置ズレ等を防止できるうえに、基板１６，１７を収納する際にその配置を間違えることもない。
【００６４】
また、カバー体２８の他の部位と略同一の板厚に構成された台側板部５５及び基板部５６により台座部５３を設け、基板１６，１７に近接された基板部５６から、位置決め部５０の突起部５４を突設しているので、突起部５４を極力短くすることができ、破損の惧れを少なくできる。また、台座部５３の台側板部５５及び基板部５６をカバー体２８の他の部位と略同一の板厚に構成しているので、合成樹脂の固化の段階での歪みの発生を少なくすることができる。
【００６５】
図９は本発明の第２の実施形態を例示する。この実施形態では、嵌合部２６の左右方向の両端に基板（例えば音声制御基板及びランプ制御基板）１６，１７を夫々嵌合すると共に、それら基板１６，１７の間に、例えばその略全体に対応してスペーサー２５を嵌合している。その他は第１の実施形態と略同様である。
【００６６】
なお、この実施形態では第１の実施形態に比べて、各基板１６，１７が左右方向に小さく構成されており、その基板１６，１７の変化に対応して、スペーサー２５が大きく構成されている。
【００６７】
図１０は本発明の第３の実施形態を例示する。この実施形態では、１枚の基板（例えば音声制御基板）１６を嵌合部２６の左右方向の中間に嵌合すると共に、その両側に、例えばその略全体に対応して２枚のスペーサー２５を嵌合したものである。なお、本実施形態では、位置決め部５０の突起部５４が嵌合する穴部５９ａをスペーサー２５に形成している。
【００６８】
この第２及び第３の実施形態のように、基板１６，１７の大きさ、配置、数等が変化した場合にも、スペーサー２５の大きさ、形状、配置、数等を変更することにより、共通の基板ケース１８を汎用することが可能である。
【００６９】
また、嵌合部２６の周縁に沿ってその略全体に連続的又は間欠的に挟持部２７（受け部３０及び押さえ部３１）を設けると共に、嵌合部２６の左右方向（長手方向）の略全長に沿ってコネクタ開口部３５を形成しているので、例えば基板１６，１７の上下方向（一辺側）の寸法を嵌合部２６の上下方向（幅方向）の寸法に対応させておけば、基板１６，１７の配置を嵌合部２６の左右方向に変更しても、基板１６，１７及びスペーサー２５を少なくとも対向する２辺側で常に安定的に挟持することができるし、コネクタ開口部３５からコネクタ３４を露出することができる。
【００７０】
なお、各実施形態では基板ケース１８に基板１６，１７を１枚又は２枚収納した場合を例示しているが、３枚以上嵌合しても良い。なお、位置決め部５０は省略することも可能である。
【００７１】
図１１及び図１２は本発明の第４の実施形態を例示している。この実施形態では、嵌合部２６の一部に例えば１枚の基板（例えば音声制御基板）１６を嵌合すると共に、その基板１６に対応して嵌合部２６を仕切る仕切り部材７０を、基板１６の大きさ、嵌合位置等に応じて位置調整可能に設けている。
【００７２】
カバー体２８のカバー部３３には、対向する側板部３８ａ〜３８ｄ、例えば上側板部３８ａ及び下側板部３８ｃの内側に、仕切り部材７０が嵌合する嵌合溝７１が、前後方向の略全長に亘って、嵌合部２７の左右方向（長手方向）の略全体に略等間隔をおいて形成されており、仕切り部材７０を左右方向に段階的に位置調整できるようになっている。
【００７３】
なお、仕切り部材７０に、例えば側板部３８ａ〜３８ｄ等に圧接する等により仕切り部材７０を側板部３８ａ〜３８ｄに対して固定する固定手段を設け、仕切り部材７０を嵌合部２７の左右方向に無段階的に位置調整できるようにしても良い。なお、その固定手段をねじ等により構成しても良い。
【００７４】
また各嵌合溝７１間の凸部７２は、実施形態のように例えば嵌合溝７１と同程度の幅を持たせても良いし、薄いリブ状に構成しても良い。また、各側板部３８ａ，３８ｄの前後方向の略全長に亘って設ける以外にも、例えば、各側板部３８ａ，３８ｄの前後方向の両端にのみに仕切り部材７０が嵌合可能な凹部を形成しても良い。
【００７５】
この実施形態では、例えば１枚の基板１６が、嵌合部２６の左右方向の一側に配置され、上下方向の対向する２辺側及び左右方向の１辺側で挟持部２７により挟持されている。
【００７６】
仕切り部材７０は例えば平板状で、この基板１６の挟持部２７により挟持されていない１辺に略当接するように設けられ、基板１６が設けられた部分と設けられていない部分とで嵌合部２６を上下方向（幅方向）に仕切っている。なお、実施形態では、仕切り部材７０の後端縁がカバー部３３の底板部３７に略当接されると共に、前端縁がベース体２９の底板部４７に略当接されており、カバー部３３を分割してその間を塞ぐようになっている。
【００７７】
その他は第１の実施形態と略同様に構成されている。なお、他の実施形態と同様に基板１６，１７を２枚以上嵌合しても良い。
【００７８】
このように、基板１６，１７に対応して嵌合部２６を仕切る仕切り部材７０を、基板１６，１７の大きさ、数、配置等に応じて位置調整可能に設けても良い。このように構成しても、嵌合部２６の一部に嵌合された基板１６，１７を嵌合部２６の所定位置に確実に保持することができる。仕切り部材７０の位置調整を行なうために、嵌合溝７１を嵌合部２６の左右方向に複数形成しているので、収容する基板１６，１７の大きさ、数、配置等が変化しても、仕切り部材７０を位置調整することにより簡単に対応でき、共通の基板ケース１８を汎用することができる。
【００７９】
なお、実施形態では、１枚の基板１６を嵌合部２６の左右方向の一側に嵌合した場合を例示しているが、例えば１枚の基板１６を嵌合部２６の左右方向の中間に配置し、その両側に仕切り部材７０を設けても良いし、２枚の基板１６，１７を嵌合部２６の左右方向の両端に夫々配置し、その各基板１６，１７に内側から略当接するように２枚の仕切り部材７０を夫々設けても良い。
【００８０】
この実施形態でも、他の実施形態と同様にコネクタ開口部３５を嵌合部２６の長手方向の略全体に沿って形成しているので、基板１６，１７の大きさ、配置、数等を自由に設定できる。また仕切り部材７０を、カバー部３３の上下方向に跨って設けると共に、その端縁がカバー部３３の底板部３７とベース体２９の底板部４７に略当接するように設けているので、コネクタ開口部３５を嵌合部２６の長手方向の略全体に沿って設けているにもかかわらず、基板１６，１７の要部をカバー部３３と仕切り部材７０とにより完全に塞ぐことができ、コネクタ開口部３５の基板１６，１７により塞がれない部分からの不正等を確実に防止することができる。
【００８１】
なお、仕切り部材７０は、少なくとも、基板１６，１７に対応して嵌合部２６を仕切り、且つ基板１６，１７の挟持部２７により挟持されていない側縁部（複数の基板１６，１７を嵌合する場合には、挟持部２７により挟持されていない側縁部及び他の基板に略当接されていない側縁部）に略当接するものであっても良い。
【００８２】
以上、本発明の実施形態を詳述したが、本発明は実施形態に限定されるものではなく、本発明の趣旨を逸脱しない範囲で種々の変更が可能である。
【００８３】
実施形態では、音声制御基板１６及びランプ制御基板１７を収容する音声・ランプ制御基板ケース１８について例示しているが、主制御基板１９を収容する主制御基板ケース２０、電源基板２１及び払い出し制御基板２２を収容する電源・払い出し制御基板ケース２３等に適用しても良い。また、各種の基板ケース１８，２０，２３に共通の基板ケースを使用することも可能である。その場合、各種基板１６，１７，１９，２１，２２の１辺側の寸法（例えば上下方向（嵌合部２６の幅方向）の寸法）を嵌合部２６に対応して統一しておけば、何れの基板を収容した場合にも、少なくとも対向する２辺側で安定的に基板１６，１７，１９，２１，２２を挟持することができる。
【００８４】
また、例えば主制御基板１９を収容する場合を考慮して、基板ケース１８に、そのカバー体２８とベース体２９とを閉状態で封止し且つ開封時に開封痕跡が残るように構成された封止手段を設けても良い。
【００８５】
実施形態では、音声制御基板１６とランプ制御基板１７とを同一の音声・ランプ制御基板ケース１８に収納しているが、夫々が収納される音声制御基板ケース及びランプ制御基板ケースを別々に設けても良い。電源・払い出し制御基板ケース２３についても同様である。また、実施形態で例示していない組み合わせで、異なる複数の基板１６，１７，１９，２１，２２を同一の基板ケースに収納しても良い。
【００８６】
実施形態では、音声制御基板１６及びランプ制御基板１７のコネクタ開口部３５に対応する部分が基板ケース１８の外側に露出されるようになっているが、基板１６，１７のコネクタ３４の周囲部分を覆う部材を基板１６，１７に重ねるように設けても良い。なお、この部材はスペーサー２５と一体に設けても良いし、別々に設けても良い。
【００８７】
実施形態では、コネクタ開口部３５を嵌合部２６の下辺側の略全体及び左辺側の下部に連続的に形成しているが、コネクタ開口部３５の配置は適宜変更可能であり、例えば、嵌合部２６の周縁側の略全周に連続的に設けても良い。また、連続的に設ける以外にも、数カ所に間欠的に設けても良い。
【００８８】
実施形態では、各基板１６，１７及びスペーサー２５を嵌合部２６の長手方向（左右方向）に並べ、それらの対向する２辺側を嵌合部２６の幅方向（上下方向）の両側の受け部３０により受けるようにしているが、各基板１６，１７及びスペーサー２５を嵌合部２６の幅方向（上下方向）に並べ、それらの対向する２辺側を嵌合部２６の長手方向（左右方向）の両側の受け部３０により受けるようにしても良い。
【００８９】
また、各基板１６，１７及びスペーサー２５を全て略矩形状に構成し、それらを略矩形状の嵌合部２６に嵌合しているが、これらの形状も実施形態に限られるものではない。例えば、基板１６，１７及び嵌合部２６を略矩形状に構成した場合であっても、基板１６，１７の配置、大きさ、数等によって、嵌合部２６の基板１６，１７が嵌合されていない部分の形状が矩形状にならないこともあるので、その場合にはその形状に合ったスペーサー２５を使用すればよい。
【００９０】
実施形態では、基板ケース１８のカバー体２８側に嵌合部２６及び受け部３０を設けると共に、ベース体２９側に押さえ部３１を設けているが、ベース体２９側に嵌合部２６及び受け部３０を設けると共に、カバー体２８側に押さえ部３１を設けても良い。更に、基板ケース１８の構成はあくまでも一例であり、本発明の範囲内で適宜変更可能である。
【００９１】
例えば、実施形態ではカバー体２８の周縁部に設けられた外壁部３２の内側に嵌合部２６が形成されているが、カバー体２８の外周壁を設けると共に、この外周壁の内側に外壁部３２を別途設け、その外壁部３２の内側を嵌合部２６としても良い。その場合、外壁部３２は、嵌合部２６の全周に連続的に設けても良いし、全周に間欠的に設けても良い。
【００９２】
なお、実施形態では本発明をパチンコ機に適用した場合を例示したが、本発明はアレンジボール機、雀球遊技機等の他の弾球遊技機、更に回胴式遊技機等の他の遊技機においても適用可能であることは言うまでもない。
【００９３】
【発明の効果】
本発明は、基板１６，１７と、該基板１６，１７が収納された基板ケース１８とを備え、該基板ケース１８に、前記基板１６，１７が嵌合する嵌合部２６と、該嵌合部２６の周縁側で前記基板１６，１７を厚さ方向に挟持する挟持部２７とを設けた遊技機において、前記嵌合部２６の一部に前記基板１６，１７を嵌合すると共に、該嵌合部２６の前記基板１６，１７が嵌合されていない部分に、該基板１６，１７に並べてスペーサー２５を嵌合し、該基板１６，１７及びスペーサー２５を前記挟持部２７により挟持しているので、共通の基板ケース１８を、大きさの異なる複数種類の基板１６，１７に汎用することができる。
【００９４】
また、基板１６，１７と、該基板１６，１７が収納された基板ケース１８とを備え、該基板ケース１８に、前記基板１６，１７が嵌合する嵌合部２６と、該嵌合部２６の周縁側で前記基板１６，１７を厚さ方向に挟持する挟持部２７とを設けた遊技機において、前記嵌合部２６の一部に前記基板１６，１７を嵌合すると共に、該基板１６，１７に対応して前記嵌合部２６を仕切る仕切り部材７０を、前記基板１６，１７の大きさ又は嵌合位置に応じて位置調整可能に設けているので、共通の基板ケース１８を、大きさの異なる複数種類の基板１６，１７に汎用することができる。
【図面の簡単な説明】
【図１】本発明の第１の実施形態を示す遊技機本体の側面図である。
【図２】本発明の第１の実施形態を示す遊技機本体の背面図である。
【図３】本発明の第１の実施形態を示す基板ケースの背面図である。
【図４】本発明の第１の実施形態を示すカバー体の正面図である。
【図５】本発明の第１の実施形態を示すベース体の背面図である。
【図６】（Ａ）は本発明の第１の実施形態を示す図３のＡ−Ａ断面図、（Ｂ）はカバー体とベース体とを分解した断面図である。
【図７】本発明の第１の実施形態を示す図３のＢ−Ｂ断面図である。
【図８】本発明の第１の実施形態を示す図４のＣ−Ｃ断面図である。
【図９】本発明の第２の実施形態を示すベース体を外した状態の基板ケース、基板及びスペーサーの正面図である。
【図１０】本発明の第３の実施形態を示すベース体を外した状態の基板ケース、基板及びスペーサーの正面図である。
【図１１】本発明の第４の実施形態を示す基板ケース、基板及び仕切り部材の断面図である。
【図１２】本発明の第４の実施形態を示す要部の斜視図である。
【符号の説明】
１６  音声制御基板（基板）
１７  ランプ制御基板（基板）
１８  音声・ランプ制御基板ケース（基板ケース）
２５  スペーサー
２６  嵌合部
２７  挟持部
２８  カバー部
２９  ベース体
３０  受け部
３１  押さえ部
３２  外壁部
３５  コネクタ開口部
５０  位置決め部
【図１】
2004305544.tif 000003
【図２】
2004305544.tif 000004
【図３】
2004305544.tif 000005
【図４】
2004305544.tif 000006
【図５】
2004305544.tif 000007
【図６】
2004305544.tif 000008
【図７】
2004305544.tif 000009
【図８】
2004305544.tif 000010
【図９】
2004305544.tif 000011
【図１０】
2004305544.tif 000012
【図１１】
2004305544.tif 000013
【図１２】
2004305544.tif 000014